(57)【要約】【課題】光ファイバケーブルを傷つけたり、破損させることなく、安定して固定することができるようにする。【解決手段】光ファイバケーブル１の先端部の被覆部４を除いてテンションメンバ（図示せず）と光ファイバとに解きほぐして、このテンションメンバと被覆部４で被覆された部分とを軟性体からなる円筒形部品１１で挟み込み、この状態で円筒形部品１１を筐体部５に設けられた挿入孔９内に挿入する。そして、筐体部５の上面からねじを捩じ込むことにより、円筒形部品１１を挿入孔９内で押し付け固定する。挿入孔９の一部には、外部に連通するガイドスリット１０ａ，１０ｂが設けられており、これらガイドスリット１０ａ，１０ｂを通して光ファイバ３が外部に引き出される。【選択図】図４
2006220743.tif 000002
【特許請求の範囲】
【請求項１】
光ファイバケーブルのテンションメンバを嵌め込む第１の溝部と、該光ファイバケーブルの被覆部で覆われた部分を嵌め込む第２の溝部と、該光ファイバケーブルの光ファイバを外部に引き出すための隙間とが設けられ、軟性体の材料からなる円筒形部品と、
該第１の溝部に光ファイバケーブルのテンションメンバが、該第２の溝部に該光ファイバケーブルの被覆部で覆われた部分が夫々嵌め込まれた該円筒形部品が挿入される挿入孔と、該挿入孔の一部から外部に連通するガイドスリットと、該挿入孔に挿入された該円筒形部品を固定するするための固定用ねじのねじ孔とが設けられた筐体部と
からなることを特徴とする光ファイバケーブルの固定具。
【発明の詳細な説明】
【技術分野】
【０００１】
本発明は、光ファイバケーブルの固定に係り、特に、情報通信システムでの基地局間を結ぶ光ファイバケーブルを基地局で固定するなどのための固定具及びその固定方法に関する。
【背景技術】
【０００２】
移動体通信などの情報通信システムなどでは、基地局間の情報通信に光ファイバケーブルが使用されている。この場合、基地局では、光ファイバケーブルが、弛まないように、固定される。
【０００３】
図５に示すように、光ファイバケーブル１は、銅線などによるテンションメンバ２を中心にしてその周りに複数の光ファイバ３を束ね（ここでは、光ファイバ３は１本のみを示している）、これらテンションメンバ２と光ファイバ３との束を被覆部４によって被覆した構成をなしている。かかる構成の光ファイバケーブル１が、そのテンションメンバ２が固定具に取り付けられることにより、この固定具に固定されることになる（例えば、特許文献１参照）。
【０００４】
図６はかかる光ファイバケーブル１を固定する特許文献１に記載の固定具を示すものであって、同図（ａ）は正面図、同図（ｂ）は側面図、同図（ｃ）は上面図であり、５は筐体部、６は挿入孔、７は固定用のねじ、８はねじ孔である。
【０００５】
図６（ａ）〜（ｃ）において、固定具の金属からなる筐体部５は断面が矩形状のブロックであって、正面からその反対側の面にわたって貫通して、図６（ｂ），（ｃ）で破線で示すように、挿入孔６が設けられている。また、図６（ｂ）に示す筐体部５の上面からは、図６（ｂ）で破線で示すように、挿入孔６に達する２つのねじ孔８が設けられており、これらねじ孔８に固定用のねじ７を捩じ込むことにより、図６（ａ）に示すように、これらねじ７の先端を挿入孔６内に突出させることができる。
【０００６】
かかる固定具に図５に示す光ファイバケーブル１を固定する場合には、この光ファイバケーブル１の先端部のテンションメンバ２と光ファイバ３との束を解き、図７に示すように、テンションメンバ２のみを固定具の筐体部５に設けられて挿入孔６に挿入する。この場合、テンションメンバ２は、２つのねじ孔８（図６（ｂ），（ｃ））の下を通るまで、挿入孔６に挿入される。そして、夫々のねじ孔８にねじ７を捩じ込むことにより、これらのねじ７の先端部でテンションメンバ２を挿入孔６の底に押しつけるようにして、テンションメンバ２を固定具の筐体部５に固定する。
【０００７】
上記特許文献１には、さらに、筐体部の側面から筐体部の中心部に向かってガイドスリットが設けられ、また、このガイドスリットの先端部まで上面から貫通したねじ孔が設けられており、光ファイバケーブルのテンションメンバをこの筐体部の側面からガイドスリットに挿入し、ねじ孔からねじを捩じ込むことにより、ガイドスリット内でこのテンションケーブルを固定するようにした固定具も提案されている。
【特許文献１】特開２０００ー２７５４６７
【発明の開示】
【発明が解決しようとする課題】
【０００８】
ところで、上記従来のテンションメンバ固定具は、挿入孔やガイドスリット内でねじがテンションメンバを押し付けるものであるから、テンションメンバを傷つけたり、破損してしまったりするし、また、光ファイバケーブルの一部であるテンションメンバを固定するものであって、光ファイバケーブル全体を肯定するものではないため、光ファイバケーブルの安定した固定が困難であるという問題があった。
【０００９】
本発明の目的は、かかる問題を解消し、光ファイバケーブルを傷つけたり、破損させることなく、安定して固定することができるようにした光ファイバケーブルの固定具を提供することにある。
【課題を解決するための手段】
【００１０】
上記目的を達成するために、本発明は、光ファイバケーブルのテンションメンバを嵌め込む第１の溝部と、光ファイバケーブルの被覆部で覆われた部分を嵌め込む第２の溝部と、光ファイバケーブルの光ファイバを外部に引き出すための隙間とが設けられ、軟性体の材料からなる円筒形部品と、第１の溝部に光ファイバケーブルのテンションメンバが、第２の溝部に光ファイバケーブルの被覆部で覆われた部分が夫々嵌め込まれた円筒形部品が挿入される挿入孔と、挿入孔の一部から外部に連通するガイドスリットと、挿入孔に挿入された円筒形部品を固定するするための固定用ねじのねじ孔とが設けられた筐体部とからなるものである。
【発明の効果】
【００１１】
本発明によると、軟性体からなる円筒形部品を挟んで光ファイバケーブルのテンションメンバと被覆部とが所定の長さにわたって筐体部に固定されるものであるから、これらテンションメンバと被覆部に傷がついたり、破損したりすることがないし、また、被覆部の部分まで固定されるものであるから、光ファイバケーブルが安定して固定されることになる。
【発明を実施するための最良の形態】
【００１２】
以下、本発明の実施形態を図面を用いて説明する。  
図１は本発明による光ファイバケーブルの固定具の一実施形態を示す斜視図であって、５ａは筐体部５の正面、５ｂ，５ｃは筐体部５の側面、９は挿入孔、１０ａ，１０ｂはガイドスリット、１１は円筒形部品、１２ａ，１２ｂは半円筒部、１３は接合部、１４ａ，１４ｂは段部、１５ａ，１５ｂは低部、１６ａ，１６ｂは高部、１７ａ，１７ｂ，１８ａ，１８ｂは溝部であり、前出図面に対応するブブカには同一符号をつけて重複する説明を省略する。
【００１３】
図２は図１に示す筐体部５の外形図であって、同図（ａ）は正面図、同図（ｂ）は側面図、同図（ｃ）は上面図であり、図１及び図６，図７に対応する部分には同一符号をつけている。
【００１４】
図１において、この実施形態の光ファイバケーブルの固定具は、挿入孔９などが設けられた金属のブロックからなる筐体部５とゴムなどの軟性体からなる円筒形部品１１とからなっている。
【００１５】
筐体部５は、図１及び図２において、図６，図７に示した従来のテンションメンバの固定具の筐体部５と同様の構成をなしているが、挿入孔９の直径は図６，図７での挿入孔６よりも充分大きく、光ファイバケーブルが取り付けられた後述の円筒形部品１１を挿入できる大きさであって、筐体部５の前面５ａからその反対側の面まで貫通して設けられているが、貫通していなくてもよい。また、筐体部５の両側面５ａ，５ｂから挿入孔９に連通するガイドスリット１０ａ，１０ｂが設けられている。ここで、ガイドスリット１０ａ，１０ｂは、筐体部５の前面５ａからみて、所定の深さｄに設定されており、また、これらガイドスリット１０ａ，１０ｂの幅ｔは、光ファイバケーブル１（図５）での光ファイバ３の直径よりも若干大きく、光ファイバ３が通ることができるように設定されている。さらに、ガイドスリット１０ａ，１０ｂは、挿入孔９の中心軸を含む同一平面に設けられている。
【００１６】
円筒形部品１１は、図１において、円筒をその中心軸に沿って縦割りしたほぼ半円筒状の２つの半円筒部１２ａ，１２ｂが接合部１３で接合されたものであって、この接合部１３に関してこれら半円筒部１２ａ，１２ｂを折り畳んで合わせることもできるし、図示するように、開くこともできる。半円筒部１２ａ，１２ｂを折り畳んだ場合には、円筒形部品１１が円筒形状となる。
【００１７】
これに半円筒部１２ａ，１２ｂの夫々の平面部には、光ファイバ３（図５）の直径よりも若干大きい段部１４ａ，１４ｂが設けられており、半円筒部１２ａでは、この段部１４ａを境に高部１６ａとこれよりも低くなった低部１５ａとが形成され、半円筒部１２ｂでも、同様に、段部１４ｂを境に高部１６ｂとこれよりも低くなった低部１５ｂとが形成されている。
【００１８】
そして、半円筒部１２ａの高部１６ａでは、段部１４ａに垂直に光ファイバ３（図５）のテンションメンバ２の半径にほぼ等しく半径であって、このテンションメンバ２を嵌め込むための溝部１８ａが設けられており、この半円筒部１２ａの低部１５ａには、光ファイバケーブル１（図５）の半径にほぼ等しい半径であって、この光ファイバケーブル１を嵌め込むための溝部１７ａが段部１４ａに垂直に設けられている。これら溝部１８ａと溝部１７ａとは、それらの中心軸が一致する。同様にして、半円筒部１２ｂの高部１６ｂでも、半円筒部１２ａの高部１６ａでの溝部１８ａと同様の溝部１８ｂが設けられており、半円筒部１２ｂの低部１５ｂでも、半円筒部１２ａの低部１５ａでの溝部１７ａと同様の溝部１７ｂが設けられている。
【００１９】
図３は図１における円筒形部品１１の使用方法を示す図であり、前出図面に対応する部分には同一符号をつけて重複する説明を省略する。
【００２０】
図５に示す光ファイバケーブル１を図１に示す固定具に取り付ける場合には、まず、図３（ａ）に示すように、光ファイバケーブル１の先端部のテンションメンバ２と光ファイバ３との束を解き、円筒形部品１１の半円筒部１２ａ，１２ｂのいずれか一方、ここでは、半円筒部１２ａの高部１６ａの溝部１８ａにテンションメンバ２を嵌め込み、低部１５ａの溝部１７ａにテンションメンバ２と光ファイバ３との束を解かない状態の被覆部４の部分を嵌め込む。
【００２１】
そして、半円筒部１２ａと半円筒部１２ｂとを折り畳むようにして重ね合わせることにより、図３（ｂ）に示すように、光ファイバケーブル１の先端部を円筒形部品１１で包み込むようにする。このとき、半円筒部１２ａ，１２ｂのダンサ１４ａ，１４ｂ（図１）により、これら半円筒部１２ａ，１２ｂのの低部１５ａ，１５ｂに隙間１９が生ずる。この隙間１９から光ファイバ３を外部に飛び出させる。なお、円筒形部品１１の隙間１９との反対側に同様の隙間が生じいる。
【００２２】
図４は光ファイバケーブル１を筐体部５に固定する方法を示す図であり、前出図面に対応する部分には同一符号をつけて重複する説明を省略する。
【００２３】
同図（ａ）において、図３（ｂ）に示すように光ファイバケーブル１に取り付けた円筒形部品１１を筐体部５の挿入孔９に、正面５ａ側から挿入する。このとき、図３（ｂ）に示すように、円筒形部品１１の側面の隙間１９から飛び出した光ファイバ３が、筐体部５のガイドスリット１０ａ，１０ｂのいずれか一方（ここでは、ガイドスリット１０ａ）から外部に飛び出すように、円筒形部品１１の隙間１９を筐体部５のガイドスリット１０ａ，１０ｂに対向するように、円筒形部品１１を調整して挿入孔９に挿入する。
【００２４】
そして、ねじ７を捩じ込むことにより、これらねじ７の先端部が円筒形部品１１を挿入孔９の底に押し付けることになり、これにより、図４（ｂ）に示すように、円筒形部品の半円筒部１２ａ，１２ｂとの高部１６ａ，１６ｂ（図３（ａ））で光ファイバケーブル１のテンションメンバ２が、また、低部１５ａ，１５ｂ（図３（ａ））で光ファイバケーブル１の被覆部４で被覆された部分が夫々弾性的に強く挟持されることになる。
【００２５】
このようにして、光ファイバケーブル１が筐体部５に固定されるのであるが、軟性体からなる円筒形部品１１を挟んで光ファイバケーブル１のテンションメンバ２と被覆部４とが所定の長さにわたって筐体部５に固定されるものであるから、これらテンションメンバ２と被覆部４に傷がついたり、破損したりすることがないし、また、被覆部４の部分まで固定されるものであるから、光ファイバケーブル１が安定して固定されることになる。
【図面の簡単な説明】
【００２６】
【図１】本発明による光ファイバケーブルの固定具の一実施形態を示す構成図である。
【図２】図１における筐体部の外形図である。
【図３】図１における円筒形部品の使用方法を示す図である。
【図４】光ファイバケーブルを図１における筐体部に固定する方法を示す図である。
【図５】光ファイバケーブルを示す図である。
【図６】従来の光ファイバケーブルのテンションメンバの固定具の一例を示す図である。
【図７】図６に示す固定具にテンションメンバを固定した状態を示す斜視図である。
【符号の説明】
【００２７】
１  光ファイバケーブル
２  テンションメンバ
３  光ファイバ
４  被覆部４
５  筐体部
７  固定用のねじ
８  ねじ孔
９  挿入孔
１０ａ，１０ｂ  ガイドスリット
１１  円筒形部品
１２ａ，１２ｂ  半円筒部
１３  接合部
１４ａ，１４ｂ  段部
１５ａ，１５ｂ  低部
１６ａ，１６ｂ  高部
１７ａ，１７ｂ，１８ａ，１８ｂ  溝部
１９  隙間
【図１】
2006220743.tif 000003
【図２】
2006220743.tif 000004
【図３】
2006220743.tif 000005
【図４】
2006220743.tif 000006
【図５】
2006220743.tif 000007
【図６】
2006220743.tif 000008
【図７】
2006220743.tif 000009